(57)【要約】【課題】通信網へ接続する毎に動的ＩＰアドレスを割り当てられるクライアントへ、通信網を介して接続可能な技術と利用技術を提供する。【解決手段】クライアント１０が通信網１へ接続する毎に動的ＩＰアドレスをサーバ３０に送出する。サーバ３０がクライアント１０の前記動的ＩＰアドレスを取得して接続ログと共にログファイル記憶部３４に記憶し、検索部３６が前記動的ＩＰアドレスの情報を含む最新の接続ログファイルを検索してアカウントを取得し、当該アカウントからクライアント１０の所在情報を関連付けて転送を行う設定情報として特定する。サーバ３０は前記設定情報を基にユーザ２０をクライアント１０へ転送接続する。【選択図】    図１
2004228741.tif 000002
【特許請求の範囲】
【請求項１】
ユーザが転送接続手段を介して動的ＩＰアドレスを割り当てられたクライアントに接続する動的ＩＰアドレス側への接続方法において、前記クライアントが前記転送接続手段に接続して動的ＩＰアドレスを送出し、前記転送接続手段が前記クライアントの接続ログのアカウントと前記動的ＩＰアドレスとを取得して記憶し、当該記憶したアカウントと前記クライアントの所在情報とを関連付けし、当該記憶したアカウントを介して動的ＩＰアドレスと前記クライアントの所在情報とを関連付けし、当該関連付けした結果を転送接続する設定情報として特定し、当該特定した設定情報を基にユーザをクライアントに転送接続することを特徴とした動的ＩＰアドレス側への接続方法。
【請求項２】
ユーザが転送接続手段を介して動的ＩＰアドレスを割り当てられたクライアントに接続する動的ＩＰアドレス側への接続方法において、前記転送接続手段は、クライアントの動的ＩＰアドレスとアカウントとを取得し、当該アカウントと前記クライアントの所在情報とを関連付けし、当該関連付けの結果より当該アカウントを介して前記動的ＩＰアドレスと前記クライアントの所在情報とにより転送の設定情報を特定することを特徴とした動的ＩＰアドレス接続方法。
【請求項３】
ユーザが転送接続手段を介して動的ＩＰアドレスを割り当てられたクライアントに接続する動的ＩＰアドレス側への接続システムにおいて、前記クライアントは情報を取得する手段を有し、前記ユーザは転送接続手段を介して前記クライアントに接続して情報を取得する手段を有し、前記転送手段は前記クライアントの通信網内における所在情報と、前記クライアントの接続ログのアカウントを介して動的ＩＰアドレスとの関連付を行う手段と、当該関連付けを行う手段で関連付けた結果を保存して、前記ユーザを前記クライアントへ転送接続を行う手段とを有したことを特徴とする動的ＩＰアドレス側への接続システム。
【請求項４】
前記クライアントを複数台数有し、前記ユーザは前記クライアントの情報をそれぞれ取得する手段を有した請求項３記載の動的ＩＰアドレス側への接続システム。
【請求項５】
前記クライアントとしてウェブカメラを有し、前記ユーザは前記ウェブカメラの映像を取得する手段を有した請求項３及び請求項４記載の動的ＩＰアドレス側への接続システム。
【請求項６】
前記クライアントとして音声取得手段を有し、前記ユーザは前記音声取得手段の音声を取得する手段を有した請求項３及び請求項４記載の動的ＩＰアドレス側への接続システム。
【請求項７】
前記クライアントとしてウェブカメラと音声取得手段とを有し、前記ユーザは前記ウェブカメラの映像と前記音声取得手段の音声とを取得する手段を有した請求項３及び請求項４記載の動的ＩＰアドレス側への接続システム。
【発明の詳細な説明】
【０００１】
【発明の属する技術分野】
本発明は、動的ＩＰアドレス側への接続方法及びシステムに係り、特にユーザが転送接続手段を介してクライアントへ転送接続するのに好適な動的ＩＰアドレス側への接続方法及びシステムに関する。
【０００２】
【従来の技術】
通信プロトコルＴＣＰ／ＩＰを用いた通信網において、ユーザが通信網を介してクライアントとなるコンピュータ等の端末へ接続する場合、ＤＮＳ（Ｄｏｍａｉｎ  Ｎａｍｅ  Ｓｙｓｔｅｍ）サーバでクライアントのＩＰアドレスとドメイン名とを対応付けることで接続可能となる。しかし、クライアントが通信網へ接続する毎に動的ＩＰアドレスを割り当てられる場合、ＤＮＳサーバはクライアントの動的ＩＰアドレスとドメイン名とを対応付けることがないため、ユーザが通信網を介してクライアントへ接続できなかった。このため、ユーザが通信網を介してクライアントへ接続するには、クライアントが固定ＩＰアドレスを取得する必要があった。
【０００３】
しかし、ＤＤＮＳ（Ｄｙｎａｍｉｃ  Ｄｏｍａｉｎ  Ｎａｍｅ  Ｓｙｓｔｅｍ）を利用すると、クライアントが動的ＩＰアドレスを割り当てられて通信網に接続する場合でも、ＤＤＮＳサーバで動的ＩＰアドレスとドメイン名とを関連付けることができ、ユーザが通信網を介してクライアントへ接続可能となる。このＤＤＮＳは、主に通信網接続業者が提供する技術である。ＤＤＮＳサーバは、クライアントが通信網に接続するときに、現在使用されていないＩＰアドレス（動的ＩＰアドレス）をこのクライアントに割り当て、その割り当てられたＩＰアドレスとドメイン名とを対応付けて、ユーザにこのＩＰアドレスを通知している。
【０００４】
また、ＩＰアドレスを払い出される側が登録情報としてＩＰアドレスを登録し、ＩＰアドレスを指定する側が登録情報を読み出し、この登録情報に基づいてＩＰアドレスを取得することで、動的なＩＰアドレスを割り当てられたクライアントを指定する技術として、特許文献１が挙げられる。
【０００５】
【特許文献１】
特開２００２−１３５３０１号公報
【０００６】
【発明が解決しようとする課題】
しかしながら、クライアントが固定ＩＰアドレスを取得するには、クライアント毎に１つの固定ＩＰアドレスを取得して、さらにドメイン名の登録もしなければならないため、ネットワークの知識、時間及び高い費用が必要となる。また、最近では通信網の普及によりＩＰアドレスの枯渇化が始まり、一般ユーザが固定ＩＰアドレスを取得する事は現実的で無くなっている。
【０００７】
また、ＤＤＮＳを利用すると動的ＩＰアドレスとドメイン名とが瞬時に関連付かないことがあるため、ＤＤＮＳサーバが動的ＩＰアドレスをユーザへ通知するのに時間が掛り、ユーザがクライアントへ接続するのに時間が掛る場合が生じていた。
【０００８】
また、特許文献１の技術は動的ＩＰアドレス情報をウェブページに公開するだけで、クライアントへ接続させる技術でない。
本発明は前記従来技術の欠点を解消するために、クライアントが動的ＩＰアドレスを割り当てられて通信網に接続する場合でも、サーバがクライアントのＩＰアドレスの変動を検知し、クライアントの通信網内における所在情報とアカウントを介して動的ＩＰアドレスとを関連付け、動的ＩＰアドレスを割り当てられたクライアントへユーザを瞬時に転送接続させる動的ＩＰアドレス側への接続方法及びシステムを提供することを目的とする。
【０００９】
【課題を解決するための手段】
上記目的を達成するために、本発明に係る動的ＩＰアドレス側への接続方法は、動的ＩＰアドレスを割り当てられたクライアントが転送接続手段に接続して動的ＩＰアドレスを送出し、前記転送接続手段が前記クライアントの接続ログのアカウントと前記動的ＩＰアドレスとを取得して記憶し、当該記憶したアカウントと前記クライアントの所在情報とを関連付けし、当該記憶したアカウントを介して動的ＩＰアドレスと前記クライアントの所在情報とを関連付けし、当該関連付けした結果を転送接続する設定情報として特定し、当該特定した設定情報を基にユーザをクライアントに転送接続することを特徴としている。
【００１０】
また、動的ＩＰアドレスを割り当てられたクライアントへ転送接続を行う転送接続手段では、クライアントの動的ＩＰアドレスとアカウントとを取得し、当該アカウントと前記クライアントの所在情報とを関連付けし、当該関連付けの結果より当該アカウントを介して前記動的ＩＰアドレスと前記クライアントの所在情報とより転送の設定情報を特定することを特徴している。
【００１１】
本発明に係る動的ＩＰアドレス側への接続システムは、動的ＩＰアドレスを割り当てられたクライアントは情報を取得する手段を有し、ユーザは転送接続手段を介して前記クライアントに接続して前記クライアントの情報を取得する手段を有し、前記転送手段は前記クライアントの通信網内における所在情報と前記クライアントの接続ログのアカウントを介して動的ＩＰアドレスとの関連付けを行う手段と、当該関連付けを行う手段で関連付けた結果を保存して、前記ユーザを前記クライアントへ転送接続を行う手段とを有したことを特徴としている。
【００１２】
この場合、前記クライアントを複数台数有し、前記ユーザは前記クライアントの情報をそれぞれ取得する手段を有した構成とできる。
また、前記クライアントとして単数又は複数台数のウェブカメラを有し、前記ユーザは前記ウェブカメラの映像をそれぞれ取得する手段を有した構成とできる。
【００１３】
また、前記クライアントとして単数又は複数台数の音声取得手段を有し、前記ユーザは前記音声取得手段の音声をそれぞれ取得する手段を有した構成とできる。
【００１４】
また、前記クライアントとして単数又は複数台数のウェブカメラと音声取得手段とを有し、前記ユーザは前記ウェブカメラの映像と前記音声取得手段の音声とをそれぞれ取得する手段を有した構成とできる。
【００１５】
【作用】
上記のごとく構成した本発明は、クライアントが動的ＩＰアドレスを割り当てられて通信網に接続する場合でも、サーバがクライアントのＩＰアドレスの変動を検知して転送の設定情報を特定することにより、ユーザを前記クライアントへ瞬時に転送接続できる。このため、クライアントが固定ＩＰアドレスの取得とドメイン名の登録とを必要としない。また、クライアントのＩＰアドレス等の接続設定が容易にでき、固定ＩＰアドレスを取得する場合のように時間が掛からず、回線費用が安価にできる。
【００１６】
また、転送接続手段によりクライアントの動的ＩＰアドレスと所在情報とを関連付けて、ユーザをクライアントへ転送接続するよう構成したので、ユーザがクライアントの情報を取得することができる。このとき、前記クライアントがウェブカメラであれば、ユーザは画像を取得でき、ウェブカメラが複数台数設置されていれば、それぞれの画像を取得できる。また、前記クライアントが音声取得手段であれば、ユーザは音声を取得でき、音声取得手段が複数台数設置されていれば、それぞれの音声を取得できる。また、前記クライアントがウェブカメラと音声取得手段であれば、ユーザは画像と音声とを取得できる。
【００１７】
【発明の実施の形態】
以下本発明に係る動的ＩＰアドレス側への接続方法及びシステムの具体的実施の一形態を、添付図面に基づいて説明する。この実施の形態では、クライアントとなるウェブカメラへ、転送接続手段であるサーバの処理によりユーザを接続させる例について説明する。
【００１８】
図１は、ユーザがサーバを介して動的ＩＰアドレスを割り当てられたウェブカメラへ接続する構成を示している。通信網１に、ＦＴＰクライアント機能を有するウェブカメラ１０と、ウェブカメラ１０の情報（映像）を所得するユーザ２０と、動的ＩＰアドレスを割り当てられた側への転送接続機能を有するサーバ３０とが接続している。
【００１９】
ウェブカメラ１０は、通信網１に接続する毎に通信網接続サーバ１２より動的ＩＰアドレスを割り当てられる。通信網１への接続は、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）接続などがあげられる。また、ウェブカメラ１０は通信網１を介してサーバ３０へ接続する毎に、前記動的ＩＰアドレスをサーバ３０にＦＴＰ転送するＦＴＰクライアント機能を有する。
【００２０】
ユーザ２０は固定ＩＰアドレスを取得し、又は動的ＩＰアドレスを割り当てられて、通信網１を介してサーバ３０へ接続する。動的ＩＰアドレスを割り当てられて接続する場合、通信網接続サーバ２２より動的ＩＰアドレスが割り当てられる。
【００２１】
サーバ３０は固定ＩＰアドレスを取得し、専用回線により通信網１に常時接続している。サーバ３０はクライアント認証部３２と、ログファイル認証部３４と、検索部３６と、関連付け部３８と、表示・接続部４０と、ユーザ認証部４２とを有している。
【００２２】
クライアント認証部３２は、ウェブカメラ１０がサーバ３０へ接続する接続許可の判断を行う。ログファイル記憶部３４は、クライアント認証部３２でウェブカメラ１０の接続が許可された場合に、ウェブカメラ１０の前記動的ＩＰアドレスを取得して、前記動的ＩＰアドレスとＦＴＰ接続時のアカウントとを含む接続情報を接続ログとして記憶する構成である。検索部３６は、ログファイル記憶部３４に記憶された接続ログの中から最新の接続ログを検索し、この最新の接続ログの中から前記動的ＩＰアドレスと前記アカウントとを取得して、関連付け部３８に送出する。関連付け部３８は前記アカウントと、ウェブカメラ１０の通信網１における所在情報（以下、所在情報という）とを一対一に関連付ける。さらに、前記アカウントを介して前記動的ＩＰアドレスと、前記所在情報とを関連付ける。この関連付けた結果は、ユーザ２０をウェブカメラ１０へ転送接続させる設定情報として特定し、この設定情報を表示・接続部４０に送出する構成である。表示・接続部４０は、ユーザ２０が接続してウェブカメラ１０の所在情報を選択すると、前記設定情報を基に瞬時にウェブカメラ１０へ転送接続を行う。ユーザ認証部４２は、ユーザ２０がサーバ３０に接続するときに認証確認を行う。
【００２３】
このように構成された動的ＩＰアドレス側への接続システムにおいて、ユーザ２０がサーバ３０を介してウェブカメラ１０へ接続する場合について説明する。図２に、サーバ３０がウェブカメラ１０の所在情報と動的ＩＰアドレスとの設定情報を特定するフローを示す。
【００２４】
まず、動的ＩＰアドレスを割り当てられたウェブカメラ１０が通信網１を介してサーバ３０へＦＴＰ接続する。ウェブカメラ１０はサーバ３０へ接続すると、アカウントとパスワードとをクライアント認証部３２に送出する。そして、クライアント認証部３２はウェブカメラ１０の認証を行う（ステップ１１０）。接続許可の認証がされると、ログファイル記憶部３４はウェブカメラ１０より前記動的ＩＰアドレスを取得する（ステップ１２０）。一方、接続不許可の認証がされると、サーバ３０への接続を中止する。
【００２５】
ログファイル記憶部３４が前記動的ＩＰアドレスを取得した後、所在情報と動的ＩＰアドレスとの関連付けを行うサーバプログラムを起動する（ステップ１３０）。前記サーバプログラムを起動した後、前記動的ＩＰアドレスを前記サーバプログラムに引数として記憶させる（ステップ１４０）。また、ログファイル記憶部３４は取得した前記動的ＩＰアドレスと共にアカウント等を記録した接続ログを記憶する。
【００２６】
次に、検索部３６はログファイル記憶部３４に記憶した接続ログの中から、ウェブカメラ１０の動的ＩＰアドレスを含む最新の接続ログを検索する（ステップ１５０）。検索の結果、最新の接続ログを検知すると、前記最新の接続ログの中から前記動的ＩＰアドレスとアカウントとを関連付け部３８に送出する。また、検索部３６ではログファイル記憶部３４に接続ログが更新されていないか常に検索をしている。
【００２７】
関連付け部３８は検索部３６より送出された前記アカウントを取得する（ステップ１６０）。そして、転送接続の為に予め保存されているウェブカメラ１０の所在情報と取得した前記アカウントとを一対一に関連付けを行う。ただし、ウェブカメラ１０の所在情報とアカウントとは予め一対一に関連付けておき、関連付け部３８に保存しておく。これにより、転送接続する為に保存されているウェブカメラ１０の所在情報と、検索部３６より送出された最新の前記アカウントとを一対一に関連付けることができる。また、前記アカウントと前記動的ＩＰアドレスとは関連付け部３８に送出されているので、前記所在情報はアカウントを介して前記動的ＩＰアドレスに関連付けることができる。これにより、ウェブカメラ１０の前記所在情報とウェブカメラ１０に割り当てられた前記動的ＩＰアドレスとを一対一に関連付けることができ、転送接続を行う設定情報を特定できる（ステップ１７０）。設定情報の特定が完了すると前記サーバプログラムは終了する。
【００２８】
また、ウェブカメラ１０がサーバ３０へのＦＴＰ接続を切断し、その後サーバ３０に再接続する場合の接続処理は次のように行われる。ステップ１１０からステップ１５０までは前記と同様に行われる。そして、検索部３６では常に接続ログの更新を検索しているので、接続ログの更新があった場合には瞬時に検知する。関連付け部３８は最新ログよりアカウントを取得し（ステップ１６０）、ウェブカメラ１０の所在情報と動的ＩＰアドレスとの設定情報を特定する（ステップ１７０）。ステップ１７０の処理後、動的ＩＰアドレスは前回のＦＴＰ接続時から変動しているので、前回接続時の接続情報を最新の接続情報に書き換える（ステップ１８０）。ステップ１８０にて書き換えを終了した後、前記サーバプログラムは終了する。
【００２９】
関連付け部３８は転送接続を行う設定情報の特定が終了した後、前記設定情報を表示・接続部４０に送出する。表示・接続部４０は前記設定情報を保存し、この保存された前記転送設定情報に基づいて、ユーザ２０をウェブカメラ１０へ転送接続させる。ただし、ユーザ２０はユーザ認証部４２において、サーバ３０への接続許可を受けているものとする。また、ユーザ及びクライアントの形態によっては、ユーザ認証部４２においてサーバ３０への接続認証を必要とせず、表示・接続部４０へ直接に接続することも可能である。
【００３０】
これにより、ユーザ２０は表示・接続部４０に表示されたウェブカメラ１０の所在情報を選択すると、表示・接続部４０に保存された前記設定情報を基にウェブカメラ１０へ転送接続される。この転送接続は、ユーザ２０がサーバ３０に接続する前にすでに設定情報を特定されているので、瞬時に行われる。ユーザ２０はウェブカメラ１０に接続でき、ウェブカメラ１０で得られる映像を取得できる。
【００３１】
本実施形態における動的ＩＰアドレス側への接続方法及びシステムでは、予め関連付け部３８においてウェブカメラ１０のアカウントと所在情報とを関連付け、表示・接続部４０において保存している。このため、予め複数台のウェブカメラ１０のアカウントと所在情報とを関連付けて保存することで、複数台数のウェブカメラ１０へ転送接続を行える。また、ユーザ２０は通信網１へ接続してウェブカメラ１０の映像を表示できる手段であれば如何なるものでもよく、コンピュータ、携帯電話及びＰＨＳ（Ｐｅｒｓｏｎａｌ  Ｈａｎｄｙ−Ｐｈｏｎｅ  Ｓｙｓｔｅｍ）等の携帯端末及び携帯情報端末などを用いることができる。これにより、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）又はＡＤＳＬ回線が敷設できない地域において、携帯端末及び携帯情報端末を利用することでウェブカメラ１０に接続できる。
【００３２】
本実施形態ではクライアントの例としてウェブカメラ１０を用いて説明したが、他の実施形態としてＦＴＰクライアント機能を有した音声取得手段を設ける構成とできる。これにより、ユーザ２０が通信網１を介して前記音声取得手段より情報（音声）を取得できる。また、クライアントは何台でも増設可能なため、ウェブカメラ１０と音声取得手段との両方を設ける構成とできる。これにより、ユーザ２０がクライアント１０の映像と音声との両方を取得できる。さらに、ウェブカメラ１０並びに／若しくは音声取得手段を複数箇所にそれぞれ設置し、又は一箇所を多点から確認できるように複数台設置することにより、映像及び／又は音声により監視を行える。この利用例として次の利用形態があげられる。（一）店舗管理者による客層の変化や従業員の管理等の映像及び音声監視を行う。（二）ペット、子供及び寝たきり老人の様子を映像及び音声で確認する。（三）遠隔地にある設備及び河川氾濫等の映像及び音声監視を行う。（四）道路状況や行楽地等の閲覧及び不審者や無人駐車場のセキュリティ監視を行う。
【００３３】
さらに、クライアントについての他の実施形態として、ホームページの開設等が挙げられる。
これにより、サーバ３０は、クライアントの所在情報とアカウントを介して動的ＩＰアドレスとを関連付けることができ、ユーザ２０を動的ＩＰアドレスが割り当てられた前記クライアントへ転送接続できる。また、ユーザ２０がサーバ３０に接続した時には、すでに前記クライアントの所在情報と動的ＩＰアドレスとが設定情報で特定されているので、前記クライアントへ瞬時に接続できる。さらに、クライアントとして音声取得手段を設けた構成とすると、ユーザ２０が前記音声取得手段へ接続し、音声を取得できる。
【００３４】
【発明の効果】
以上説明したように、本発明によれば、動的ＩＰアドレスを割り当てられたクライアントが転送接続手段に接続して動的ＩＰアドレスを送出し、前記転送接続手段が前記クライアントの接続ログのアカウントと前記動的ＩＰアドレスとを取得して記憶し、当該記憶したアカウントと前記クライアントの所在情報とを関連付けし、当該記憶したアカウントを介して動的ＩＰアドレスと前記クライアントの所在情報とを関連付けし、当該関連付けした結果を転送接続する設定情報として特定し、当該特定した設定情報を基にユーザをクライアントに転送接続する構成としたので、クライアントのＩＰアドレスが通信網に接続する毎に変動する場合でも、前記ユーザが動的ＩＰアドレスを割り当てられた前記クライアントへ瞬時に接続できる効果が得られる。
【図面の簡単な説明】
【図１】本発明の実施形態に係るシステム構成図である。
【図２】本発明の実施形態に係る、設定情報を特定する処理のフローである。
【符号の説明】
１………通信網、１０………ウェブカメラ（クライアント）、２０………ユーザ、３０………サーバ、３２………クライアント認証部、３４………ログファイル記憶部、３６………検索部、３８………関連付け部、４０………表示・接続部、４２………ユーザ認証部。
【図１】
2004228741.tif 000003
【図２】
2004228741.tif 000004